(57)【要約】【課題】中継区間の帯域割当装置によって決定された各通信フローの帯域割当に連動して、アクセス区間の端局装置および終端装置の消費電力をより効率的に削減できるアクセスシステムを提供することを目的とする。【解決手段】本発明に係るアクセスシステムは、ユーザ装置から送信される通信帯域の割当要求に応じて、中継ネットワークの帯域割当装置で計算された帯域割当を反映し、アクセス区間の帯域割当を実施する。また、アクセス区間の帯域割当によって、端局装置および終端装置がファイル転送を行う時間帯を明らかにできることから、端局装置および終端装置において、ファイル転送を行わない時間帯に各機能ブロックへの電力供給を停止する。【選択図】図１
2019022169.tif 000002
【特許請求の範囲】
【請求項１】
ユーザ端末からのファイル転送要求に対して、制限時間付スケジューリング制御で中継ネットワークの帯域を割り当て、前記ユーザ装置からのファイル転送の開始時刻を通知する帯域割当装置と、
ファイルの転送を可能とする通常モードと消費電力を低減する省電力モードを有し、前記ユーザ装置との間でファイルの転送を行う終端装置と、
ファイルの転送を可能とする通常モードと消費電力を低減する省電力モードを有し、前記終端装置及び前記中継ネットワークとの間でファイルを中継する端局装置と、
を備えるアクセスシステムであって、
前記端局装置は、前記帯域割当装置から通知された前記ファイル転送の開始時刻に基づいて、前記ファイルが転送される時刻まで省電力モードを維持し、
前記終端装置は、前記端局装置から通知された前記ファイル転送の開始時刻に基づいて、前記ファイルが転送される時刻まで省電力モードを維持する
ことを特徴とするアクセスシステム。
【請求項２】
前記端局装置と前記終端装置との間で転送されるファイルのデータ量を計測し、前記帯域割当装置が割り当てた中継ネットワークの転送データ量と等しいデータ量となったときにファイルの転送が完了したと判断し、前記端局装置及び前記終端装置を省電力モードに移行させるデータ転送量計測部をさらに備えることを特徴とする請求項１に記載のアクセスシステム。
【発明の詳細な説明】
【技術分野】
【０００１】
本開示は、通信ネットワークのアクセス区間に用いられる通信システムにおいて、端局装置および終端装置の消費電力を削減するための省電力技術に関する。
【背景技術】
【０００２】
近年、通信ネットワークの転送容量の増大等に伴い、通信システムにおける消費電力の増加ならびにその環境負荷の増大が課題となっている。これに対処するため、各種通信システムにおいて、その消費電力を低減するための技術が検討・実装されてきている。
【０００３】
通信ネットワークの中継区間（中継ネットワーク）においては、ＳＤＮ（Ｓｏｆｔｗａｒｅ  Ｄｅｆｉｎｅｄ  Ｎｅｔｗｏｒｋ）などに代表されるような集中制御型のネットワーク制御において、コントローラ（帯域割当装置）でネットワーク内の各ノードの稼働状況を集中管理できることを利用し、ネットワーク内の各ノードの稼働時間を削減することで省電力化するように、ファイル転送要求に対して帯域を割当る制限時間付き帯域割当方式が提案されている（例えば、非特許文献１を参照。）。提案されている帯域割当方式では、同じノードを「交差」（後述）するファイル転送に対して、同時刻に転送が行われるように、中継区間のネットワークの集中制御を行う帯域割当装置において、各通信フローの転送開始時刻と帯域の割当を決定することを特徴としている。
【０００４】
ユーザがファイル転送要求をする際にいつまでに到着すれば良いという制限時間を定めることで、可能な限り前倒しするのみの転送制御ではなく、ネットワーク設備資源の状況をみて意図的に後ろ倒しも行う転送制御も行い、効率的な割当を行うモデルがある。ユーザからの要求に対して、ネットワーク側は要求が制限時間内に転送完了するように利用する経路や帯域を決定し、もし制限時間を満たすことができない場合は、ファイル転送を開始する前に要求を棄却する制御を行うネットワークモデルであり、「制限時間付きファイル転送ネットワークモデル」と呼ぶ。また、当該制御を「制限時間付スケジューリング制御」という。
【０００５】
制限時間付のファイル転送要求Ｒｉ（ｉ＝１、２、．．．）は以下の式で定義される。
Ｒｉ＝（ｓｉ、ｄｉ、Ａｉ、Ｆｉ、Ｄｉ）
ここでｓｉは送信側ノード、ｄｉは受信側（宛先）ノード、Ａｉは到着時刻、Ｆｉは残余ファイルサイズ、Ｄｉは時間の経過によって変化する。
【０００６】
この制限時間付きファイル転送ネットワークモデルにおいて、ネットワーク内のノードとリンクはすべて同じものを利用しており、通信を行っていない時間は動作を停止し消費電力を０にするものとし、ノードやリンクの停止、再起動にかかる時間や電力は十分に小さいものとし、コントローラ自体の消費電力も考慮しないものとする。
【０００７】
同一ノードを経由するが同一リンクは通らない（ノード排反ではないがリンク排反である）２つの要求が存在する場合、これらの要求は同じ時刻に割当した方がノードの動作時間を短縮できるため消費電力を削減できる。以下、このような２つの要求を「交差している」と表現する。
【０００８】
交差する２つの要求が存在する場合には、それらを同時に転送した方が省電力化になるが、このような交差する要求が常に存在するとは限らない。そのため、到着した要求をすぐに転送開始するのではなく、他の要求が到着するまで制限時間の許す限りで転送を待機させることで消費電力を削減する方式である。
【０００９】
一方、通信ネットワークのアクセス区間においては、中継区間とアクセス区間との境界に位置する端局装置と、通信事業者設備とユーザ設備の境界（ＵＮＩ：Ｕｓｅｒ−Ｎｅｔｗｏｒｋ  Ｉｎｔｅｒｆａｃｅ）を規定する終端装置との間で、アクセス区間に流入するトラフィックの状況に応じて各装置の電力消費を抑える省電力方式が標準化されている（例えば、非特許文献２及び３を参照。）。これらの方式は、端局装置に到着するトラフィックを監視し、トラフィックが到着しなくなると、終端装置の消費電力を抑えるよう、終端装置へ制御信号を送信する。制御信号を受信した終端装置では、一定期間省電力モードへ移行し、送受信器等の不要な部品への電力供給を抑えることで消費電力を低減する。一定期間経過後には、端局装置が終端装置を省電力モードから通常動作モードに復帰させるか否かを再度判断し、省電力モード移行もしくは復帰のいずれかを指示する制御信号を終端装置に送信する。
【００１０】
もし終端装置が省電力モードに移行中、端局装置に下り（ユーザ設備向け）トラフィックが到着した場合は、端局装置に配備したバッファにトラフィックを一時蓄積し、終端装置が省電力モードから復帰した際に、トラフィックを終端装置へ転送することになる。
【先行技術文献】
【非特許文献】
【００１１】
【非特許文献１】相原雅彦，木下和彦，山井成良，渡辺尚，“制限時間付き大容量ファイル転送における省電力帯域割り当て方式”，  電子情報通信学会技術研究報告，  ＮＳ，  ネットワークシステム，  ＮＳ２０１６−９４，  ｐｐ．３５−３８，  ２０１６．
【非特許文献２】ＩＥＥＥ  Ｓｔａｎｄａｒｄ  ｆｏｒ  Ｓｅｒｖｉｃｅ  Ｉｎｔｅｒｏｐｅｒａｂｉｌｉｔｙ  ｉｎ  Ｅｔｈｅｒｎｅｔ  Ｐａｓｓｉｖｅ  Ｏｐｔｉｃａｌ  Ｎｅｔｗｏｒｋｓ  （ＳＩＥＰＯＮ），  ＩＥＥＥ  Ｓｔｄ  １９０４．１−２０１３，  ２０１３．
【非特許文献３】ＩＥＥＥ  Ｓｔａｎｄａｒｄ  ｆｏｒ  Ｅｔｈｅｒｎｅｔ，  ＩＥＥＥ  Ｓｔｄ  ８０２．３−２０１５，  ２０１５．
【発明の概要】
【発明が解決しようとする課題】
【００１２】
非特許文献１においては、中継区間におけるファイル転送の帯域割当に関して言及がされているが、実際の商用ネットワークにおいては、中継区間と各ユーザ装置の間となるアクセス区間のファイル転送を行う通信システムが配備されている。このアクセス区間においては、制御通信もファイル転送も同一経路上で行うため、ファイル転送が無い時間帯でも単純には各装置の消費電力を０とすることができない。
【００１３】
このため、非特許文献２および３で示すようなアクセス区間の省電力方式を、非特許文献１に示される制限時間付き帯域割当方式による省電力化を行う通信ネットワークのアクセス区間に適用した場合、アクセス区間の各装置がデータを転送する時間帯が中継区間の帯域割当によって一意に決定されているにもかかわらず、下りトラフィックのバッファリングや余剰な制御信号のやり取り等が必要になるために、アクセス区間において効率的な消費電力の削減が見込めなくなる。
【００１４】
本発明は、このような課題を解決するものであり、中継区間の帯域割当装置によって決定された各通信フローの帯域割当に連動して、アクセス区間の端局装置および終端装置の消費電力をより効率的に削減できるアクセスシステムを提供することを目的とする。
【課題を解決するための手段】
【００１５】
このような目的を達成するために、本発明に係るアクセスシステムは、ユーザ装置から送信される通信帯域の割当要求に応じて、制限時間付スケジューリング制御がなされる中継ネットワークの帯域割当装置で計算された帯域割当を反映し、アクセス区間の帯域割当を実施することとした。
【００１６】
具体的には、本発明に係るアクセスシステムは、
ユーザ端末からのファイル転送要求に対して、制限時間付スケジューリング制御で中継ネットワークの帯域を割り当て、前記ユーザ装置からのファイル転送の開始時刻を通知する帯域割当装置と、
ファイルの転送を可能とする通常モードと消費電力を低減する省電力モードを有し、前記ユーザ装置との間でファイルの転送を行う終端装置と、
ファイルの転送を可能とする通常モードと消費電力を低減する省電力モードを有し、前記終端装置及び前記中継ネットワークとの間でファイルを中継する端局装置と、
を備えるアクセスシステムであって、
前記端局装置は、前記帯域割当装置から通知された前記ファイル転送の開始時刻に基づいて、前記ファイルが転送される時刻まで省電力モードを維持し、
前記終端装置は、前記端局装置から通知された前記ファイル転送の開始時刻に基づいて、前記ファイルが転送される時刻まで省電力モードを維持する
ことを特徴とする。
【００１７】
本アクセスシステムは、制限時間付スケジューリング制御がなされる中継ネットワークの帯域割当をアクセス区間にも反映させることで、端局装置および終端装置は、ファイル転送を行う時間帯を把握でき、ファイル転送を行わない時間帯を十分に利用して各機能ブロックへの電力供給を停止する省電力動作を行うことができる。
【００１８】
従って、本発明は、中継区間の帯域割当装置によって決定された各通信フローの帯域割当に連動して、アクセス区間の端局装置および終端装置の消費電力をより効率的に削減できるアクセスシステムを提供することができる。
【００１９】
本発明に係るアクセスシステムは、前記端局装置と前記終端装置との間で転送されるファイルのデータ量を計測し、前記帯域割当装置が割り当てた中継ネットワークの転送データ量と等しいデータ量となったときにファイルの転送が完了したと判断し、前記端局装置及び前記終端装置を省電力モードに移行させるデータ転送量計測部をさらに備えることを特徴とする。
【００２０】
本アクセスシステムは、制限時間付スケジューリング制御がなされたファイル転送の終了時点を明確に判断でき、省電力動作を開始できる。このため、端局装置および終端装置の消費電力をより効率的に削減できる。
【発明の効果】
【００２１】
本発明は、中継区間の帯域割当装置によって決定された各通信フローの帯域割当に連動して、アクセス区間の端局装置および終端装置の消費電力をより効率的に削減できるアクセスシステムを提供することができる。
【図面の簡単な説明】
【００２２】
【図１】本発明に係るアクセスシステムを説明する図である。
【図２】本発明に係るアクセスシステムにおけるアクセス区間の制御フレームを説明する図である。
【図３】本発明に係るアクセスシステムの端局装置の構成を説明する図である。
【図４】本発明に係るアクセスシステムの終端装置の構成を説明する図である。
【図５】本発明に係るアクセスシステムの帯域割当装置の構成を説明する図である。
【図６】本発明に係るアクセスシステムの動作を説明する図である。
【図７】本発明に係るアクセスシステムの動作を説明する図である。
【図８】本発明に係るアクセスシステムの動作を説明する図である。
【図９】本発明に係るアクセスシステムの動作を説明する図である。
【図１０】本発明に係るアクセスシステムの動作を説明する図である。
【発明を実施するための形態】
【００２３】
添付の図面を参照して本発明の実施形態を説明する。以下に説明する実施形態は本発明の実施例であり、本発明は、以下の実施形態に制限されるものではない。なお、本明細書及び図面において符号が同じ構成要素は、相互に同一のものを示すものとする。
【００２４】
［定義］
「帯域」の用語は、通信が行われる伝送路における「通信速度」（以下、通信容量ともいう）の用語と同一の意義を示すものとし、相互に置き換えてもよいものとする。
「ファイル」の用語は、一つのファイル転送要求によって転送される情報の塊を示し、「データ」の用語は各ファイル転送において送受信される情報（ｂｉｔ、ｂｙｔｅを単位として情報量として示せるもの）を示すのとする。
「省電力モード」の用語は、各装置において、あらかじめ決められた部品への電力供給を停止する動作を示す。
「通常動作モード」の用語は、各装置において全ての部品への電力供給を行う動作を示す。
「帯域割当情報」の用語は、ファイル転送割当通知に含まれる、各装置がファイル転送を行うにあたって必要な制御情報を示す。具体的には、当該ファイル転送における通信容量、転送開始時刻、転送完了時刻、転送経路を含む。
【００２５】
［全体構成］
図１は、本実施形態による通信システムの全体構成である。本通信システムは、
ユーザ端末１１からのファイル転送要求に対して、制限時間付スケジューリング制御で中継ネットワーク１５の帯域を割り当て、ユーザ装置１１からのファイル転送の開始時刻を通知する帯域割当装置４０と、
ファイルの転送を可能とする通常モードと消費電力を低減する省電力モードを有し、ユーザ装置（１１、１９）との間でファイルの転送を行う終端装置（２０、５０）と、
ファイルの転送を可能とする通常モードと消費電力を低減する省電力モードを有し、終端装置（２０、５０）及び中継ネットワーク１５との間でファイルを中継する端局装置（３０、６０）と、
を備えるアクセスシステムであって、
端局装置（３０、６０）は、帯域割当装置４０から通知されたファイル転送の開始時刻に基づいて、ファイルが転送される時刻まで省電力モードを維持し、
終端装置（２０、５０）は、端局装置（３０、６０）から通知されたファイル転送の開始時刻に基づいて、ファイルが転送される時刻まで省電力モードを維持する
ことを特徴とする。
【００２６】
本通信システムは、送信元ユーザ装置１１と、送信元アクセス区間１２と、中継ネットワーク１５と、帯域割当装置４０と、宛先アクセス区間１８と、宛先ユーザ装置１９によって構成される。送信元アクセス区間１２は送信元終端装置２０と送信元端局装置３０から、宛先アクセス区間１８は宛先端局装置６０と宛先終端装置５０から構成される。中継ネットワーク１５は送信元アクセス区間１２と宛先アクセス区間１８を接続する。
【００２７】
図１では、送信元ならびに宛先のそれぞれにおいて、１台の端局装置に１台の終端装置が接続されているが、ＰＯＮ（Ｐａｓｓｉｖｅ  Ｏｐｔｉｃａｌ  Ｎｅｔｗｏｒｋ）のように経路の一部を共有する１台の端局装置に複数台の終端装置を接続する構成でもよい。また複数の端局装置相当を集線する機能も端局装置が併せ持つ構成でもよい。その際、送信元と宛先において、ともに１台の終端装置同士の構成でも、複数台の終端装置同士の構成でも、またはその混在（非対称）の構成でもよい。さらに、送信元端局装置３０に接続される送信元終端装置２０の台数と、宛先端局装置６０に接続される宛先終端装置５０の台数は、同一でも異なってもよい。
【００２８】
帯域割当装置４０は送信元ユーザ装置１１からファイル転送要求のあったファイル転送に対して、中継ネットワーク１５を構成する通信装置の消費電力が最も抑えられるように、中継ネットワーク１５における通信帯域、通信経路およびファイル転送の時間帯の割当を行う。
【００２９】
送信元ユーザ装置１１は、帯域割当装置４０に対して、転送ファイルとそのファイルを転送するための制限時間を指定してファイル転送要求を送信する。送信元ユーザ装置１１から送信されたファイル転送要求は、送信元終端装置２０から送信元端局装置３０へ転送され、さらに、送信元端局装置３０から帯域割当装置４０に対して転送される。
【００３０】
ファイル転送要求を受信した帯域割当装置４０は、以下の制限時間付スケジューリング制御の手順に従い、中継ネットワーク１５における通信帯域、通信経路およびファイル転送の時間帯の割当を行う。
（１）全ファイルを転送できるだけの帯域が割当られていない要求のうち、最も制限時間の早い要求Ｒｉに注目する。
（２）Ｒｉと交差し、全ファイルを転送できるだけの帯域が割当られていない要求Ｒｊについて、Ｆｍｉｎ＝ｍｉｎ（Ｆｉ，Ｆｊ）の分だけ、現在時刻に最も近い割当可能な時刻に利用可能帯域全てをＲｉとＲｊに割当する。Ｒｊに該当する要求が複数ある場合は、制限時間の早い要求から順に上記の処理を行う。
（３）手順（１）で交差要求が見つからなかった場合、または手順（２）でＲｉのファイルを全て転送できるだけの帯域が割当できなかった場合は、待機時間Ｔｉ＝Ｄｉ−Ｆｉ／Ｃ×ａ以降の時刻に、利用可能帯域全てを残りファイルの転送を完了できる時間だけ割当する。ａは待機時刻から制限時刻までの長さを決定する定数であり、小さいほど高い省電力効果が期待されるが、呼損率も高くなると考えられる。現在時刻をＴとするとａは１からＣ／Ｆｉ（Ｄｉ−Ｔ）までの値をとる。
（４）手順（３）の操作を行ってもファイルを制限時間内に転送できるだけの帯域を確保できない場合は、待機時間Ｔｉ以前の時刻で、時刻Ｔｉに近いものから順に帯域を割当する。
（５）手順（４）の操作を行っても割当が完了しない場合は新規要求を呼損とし、帯域割当を新規要求到着前に戻す。
（６）ネットワーク上の全ての要求の帯域割当が完了したなら終了する。そうでない場合は手順（１）に戻る。
【００３１】
帯域割当装置４０によって送信元ユーザ装置１１のファイル転送要求に対する中継ネットワーク１５の通信帯域、通信経路およびファイル転送の時間帯の割当が決定されると、帯域割当装置４０は送信元端局装置３０および宛先端局装置６０に、割当られた通信帯域およびファイル転送の開始時刻及び終了時刻を通知する。通知を受信した送信元および宛先の端局装置（３０、６０）では、通知された通信帯域およびファイル転送の開始時刻及び終了時刻に基づき、アクセス区間（１２、１８）の帯域割当を行い、また、送信元端局装置３０ならびに宛先端局装置６０が省電力モードに移行可能な時間帯を求める。
【００３２】
その後、送信元端局装置３０から送信元終端装置２０まで、ならびに宛先端局装置６０から宛先終端装置５０まで、各アクセス区間の帯域割当情報の通知と、帯域割当装置４０からの通信帯域およびファイル転送の開始時刻及び終了時刻の通知の転送を行う。送信元終端装置２０は、送信元端局装置３０から転送された、帯域割当装置４０からの通信帯域およびファイル転送の開始時刻・終了時刻の通知を、送信元ユーザ装置１１へ転送する。
【００３３】
また、送信元および宛先のそれぞれの終端装置（２０、５０）において、送信元および宛先の端局装置（３０、６０）からそれぞれ転送された帯域割当装置４０からの通信帯域およびファイル転送の開始時刻及び終了時刻の通知に基づき、ファイル転送の開始時刻まで省電力モードにて待機する。この時、送信元および宛先の端局装置（３０、６０）においては、１台の端局装置に１台の終端装置が接続される構成の場合、接続される終端装置が省電力モードに移行したのと同時間帯において、端局装置も省電力モードに移行することが可能である。対して、１台の端局装置に複数の終端装置が接続されている場合、端局装置に接続される全ての終端装置が省電力モードに移行した場合において、端局装置はいずれかの終端装置の最も早いファイル転送の開始時刻まで省電力モードにて待機することが可能になる。
【００３４】
本通信システムは、端局装置３０と終端装置２０との間及び端局装置６０と終端装置５０との間で転送されるファイルのデータ量を計測し、帯域割当装置４０が割り当てた中継ネットワーク１５の転送データ量と等しいデータ量となったときにファイルの転送が完了したと判断し、端局装置（３０、６０）及び終端装置（２０、５０）を省電力モードに移行させるデータ転送量計測部（図１において不図示）をさらに備えることが好ましい。
【００３５】
ファイル転送が開始されると、送信元および宛先のそれぞれにおいて、端局装置（３０、６０）および終端装置（２０、５０）では、ファイルの転送と共に、実際に転送されたデータ量の計測を行う。転送されたデータ量が帯域割当装置４０の帯域割当によって転送を許可されたファイルのデータ量に達した時点で、送信元および宛先の終端装置（２０、５０）及び端局装置（３０、６０）では、ファイル転送が終了したと判断し、それぞれ自律的に省電力モードに移行する。この際、省電力効果は少なくなるが、データ量計測ではなく、ファイル転送の終了時刻の情報、もしくは通信が一定時間行われなくなったことを確認して省電力モードに移行する方法もある。
【００３６】
この時、送信元および宛先の端局装置（３０、６０）においては、１台の端局装置に１台の終端装置が接続される構成の場合、接続される終端装置が省電力モードに移行したのと同時点において、端局装置も省電力モードに移行することが可能である。対して、１台の端局装置に複数の終端装置が接続されている場合、端局装置に接続される全ての終端装置が省電力モードに移行した場合において、端局装置は省電力モードに移行することが可能になる。
【００３７】
［アクセス区間がＰＯＮである場合］
ＰＯＮのように経路に共有する部分があって１台の端局装置に複数台の終端装置を接続する構成（以下、ＰＯＮ構成）の場合、アクセス区間において同一経路を共有するために端局装置と終端装置の間で通信制御（転送タイミングを調整）するための制御フレーム（アクセス区間制御フレーム）が必要となる。図２は、このアクセス区間制御フレームを端局装置と終端装置との間で追加する構成である。説明容易のため送信側で説明する。
【００３８】
１台の端局装置３０に接続される複数の終端装置２０は、端局装置３０から各終端装置２０に伝送路を分岐する線路分岐部７０までの伝送路を共用する。それぞれの終端装置２０は、各々に接続されるユーザ装置１１からファイル転送要求を受信する。さらに、それぞれの終端装置２０は、端局装置３０から線路分岐部７０までの伝送路の区間において各終端装置２０のファイル転送が同一時刻に重複することを回避するために、ファイル転送を開始する前にアクセス区間１２における帯域割当を要求するアクセス区間制御フレームを端局装置３０に送信する。
【００３９】
端局装置３０では、各終端装置２０から受信したアクセス区間制御フレームに記載の帯域割当の要求に基づき、各終端装置２０がファイル転送を行う期間を一意に決定する、決定された終端装置２０ごとのファイル転送の期間は、端局装置３０から各終端装置２０に送信されるアクセス区間制御フレームによって、各終端装置２０に通知される。各終端装置２０は通知されたファイル転送の割当期間において、ユーザ装置１１から受信したファイルの転送を行う。
【００４０】
［時刻同期について］
ユーザ装置（１１、１９）、終端装置（２０、５０）、端局装置（３０、６０）を含む中継ネットワーク１５の各装置ならびに帯域割当装置４０の各装置においてファイル転送の開始時刻を正確に認識するために、各装置においては、時刻同期の機能を備えることが望ましい。時刻同期の方法としては、帯域割当装置４０をマスタとしてＰＴＰ（Ｐｒｅｃｉｓｉｏｎ  Ｔｉｍｅ  Ｐｒｏｔｏｃｏｌ）などを用いて高精度の時刻情報を伝送する形態をとってもよいし、ファイル転送の転送時間をタイムスロットに分割し、それを何個分使用するという情報を各装置で連携する形態も取りえる。特に、ＰＯＮ構成のように端局装置（３０、６０）と終端装置（２０、５０）の間で各終端装置（２０、５０）の送信時刻の制御を行っている場合には、転送タイミングの制御を行う際に実施される端局装置（３０、６０）と各終端装置（２０、５０）の時刻同期の結果を利用する形態も取りうる。
【００４１】
［端局装置の構成］
図３は、本通信システムにおける、送信元および宛先の端局装置（３０、６０）の構成を示す。図中の太線の矢印はデータ転送およびデータ転送と合流するファイル転送要求ないしファイル転送割当通知の経路を、細線の矢印は各機能部における通知等の制御信号の経路を、破線の矢印は帯域割当装置４０とのファイル転送要求ないしファイル転送割当通知の経路を示す。端局装置（３０、６０）は、帯域割当制御部３１と、アクセス区間送受信機能部３２と、中継区間送受信機能部３３と、省電力動作制御部３４を備える。
【００４２】
帯域割当制御部３１は、帯域割当装置４０とファイル転送要求およびファイル転送割当通知を送受信する。また、省電力動作制御部３４に対して、受信したファイル転送割当通知によって通知されたファイル転送の開始時刻を省電力動作制御部３４に通知する。さらに、省電力モードから通常動作モードへの復帰を行うため、省電力モードの状態で帯域割当装置４０からの通信を受信した場合、省電力動作制御部３４に動作開始の通知を行う。
【００４３】
アクセス区間送受信機能部３２は、端局装置と終端装置とのデータの送受信を行う。また、通常動作モードから省電力モードへの移行を行うため、終端装置からの受信データ量を監視し、データ転送の途絶を検出した時点で、省電力動作制御部３４に通信終了の通知を行う。加えて、省電力モードから通常動作モードへの復帰を行うため、省電力モードの状態で終端装置からの通信を受信した場合、省電力動作制御部３４に通信開始の通知を行う。
【００４４】
中継区間送受信機能部３３は、端局装置と中継ネットワーク１５の通信装置とのデータの送受信を行う。また、省電力モードから通常動作モードへの復帰を行うため、省電力モードの状態で中継ネットワーク１５からの通信を受信した場合、省電力動作制御部３４に通信開始の通知を行う。
【００４５】
省電力動作制御部３４は、帯域割当制御部３１から通知されたファイル転送の開始時刻もしくはアクセス区間送受信機能部３２からの通信終了の通知を元に、アクセス区間送受信機能部３２、中継区間送受信機能部３３及び帯域割当制御部３１の各々の機能部が省電力モードに移行する時間帯を計算し、省電力モード移行の開始時刻において、各々の機能部に対して省電力モード移行を指示する。また、アクセス区間送受信機能部３２、中継区間送受信機能部３３、および帯域割当制御部３１から動作開始の通知を受け取り、各機能部に対して省電力モードから通常動作モードへの復帰を指示する。
【００４６】
ＰＯＮ構成の場合、帯域割当制御部３１では、受信したファイル転送割当通知を元にアクセス区間の通信制御も行うため、終端装置（２０、５０）に対して送信するアクセス区間制御フレームの生成と、終端装置（２０、５０）の帯域割当制御部４１への送信をさせる。帯域割当制御部３１において、終端装置（２０、５０）に送信するアクセス区間制御フレームの挿入ならびに終端装置（２０、５０）から送信されたアクセス区間制御フレームの分離と、終端装置（２０、５０）との通信制御（タイミング調整）を行う。終端装置（２０、５０）とのタイミング制御は、帯域割当装置４０から受信したファイル転送割当通知に記載の、当該ファイル転送における通信容量、転送開始時刻、及び転送完了時刻に基づき、各終端装置（２０、５０）がデータを送信可能な時間帯を配分することによって実現される。
【００４７】
［端局装置がデータ量計測を行う場合］
より効率的に端局装置を省電力動作へ移行させるため、アクセス区間送受信機能部３２と帯域割当制御部３１の間にアクセス区間の転送データ量を計測するデータ転送量計測部３５を備える構成も取りうる。図３は、データ転送量計測部３５も備えた端局装置の構成を示している。データ転送量計測部３５を備える構成の場合、帯域割当制御部３１は帯域割当装置４０から受信したファイル転送割当通知に基づき、データ転送量計測部３５に対し、帯域割当が行われたファイル転送における転送データ量を通知する。データ転送量計測部３５は、終端装置（２０、５０）との間で転送されたユーザのデータの転送量の計測を行い、帯域割当制御部３１より通知されたファイル転送の転送データ量と等しいデータ量の転送が完了した時点で、ファイル転送完了を省電力動作制御部３４に通知する。省電力動作制御部３４では、データ転送量計測部３５からのファイル転送完了通知を元に、アクセス区間送受信機能部３２、データ転送量計測部３５、中継区間送受信機能部３３及び帯域割当制御部３１の各々の機能部が省電力モードに移行する時間帯を計算し、省電力モード移行の開始時刻において、各々の機能部に対して省電力モード移行を指示する。また、アクセス区間送受信機能部３２、中継区間送受信機能部３３、および帯域割当制御部３１から動作開始の通知を受け取り、各機能部に対して省電力モードから通常動作モードへの復帰を指示する。
【００４８】
［省電力モードの種類］
省電力モード中の端局装置（３０、６０）においては、帯域割当制御部３１、アクセス区間送受信機能部３２および中継区間送受信機能部３３の受信側の処理を行う部品へは電力供給を継続し、その他の部品は電力供給を停止することを基本動作とする。ただし、端局装置（３０、６０）、終端装置（２０、５０）および帯域割当装置４０の間で同期を取り、制御信号等の通信が一定の時間間隔でのみ行われるなど、端局装置（３０、６０）において特定の時間周期のみで通信が行われることが明らかな場合、その時間周期の間は、中継区間送受信機能部３３、アクセス区間送受信機能部３２および帯域割当制御部３１において受信側の処理を行う部品への電源供給を停止する形態もとりうる。
【００４９】
［終端装置の構成］
図４は、実施形態の通信システムにおける、送信元および宛先の終端装置（２０、５０）の構成を示す。図中の太線の矢印はデータ転送およびデータ転送と合流するファイル転送要求ないしファイル転送割当通知の経路を、細線の矢印は各機能部における通知等の制御信号の経路を示す。終端装置（２０、５０）は、帯域割当制御部２１と、ＵＮＩ送受信機能部２２と、アクセス区間送受信機能部２３と、省電力動作制御部２４を備える。
【００５０】
ＵＮＩ送受信機能部２２は、ユーザ装置（１１，１９）とのデータの送受信を行う。また、通常動作モードから省電力モードへの移行を行うため、ユーザ装置（１１，１９）からの受信データ量を監視し、データ転送の途絶を検出した時点で、省電力動作制御部２４に通信終了の通知を行う。省電力モードから通常動作モードへの復帰を行うため、省電力モードの状態でユーザ装置（１１，１９）からの通信を受信した場合、省電力動作制御部２４に通信開始の通知を行う。
【００５１】
アクセス区間送受信機能部２３は、端局装置（３０、６０）と終端装置（２０、５０）とのデータの送受信を行う。また、省電力モードから通常動作モードへの復帰を行うため、省電力モードの状態で端局装置（３０、６０）からの通信を受信した場合、省電力動作制御部２４に通信開始の通知を行う。
【００５２】
帯域割当制御部２１は、ファイル転送の開始時刻を省電力動作制御部２４に通知する。
【００５３】
省電力動作制御部２４は、帯域割当制御部２１から通知されたファイル転送の開始時刻もしくはＵＮＩ送受信機能部２２からの通信終了の通知を元に、ＵＮＩ送受信機能部２２、アクセス区間送受信機能部２３及び帯域割当制御部２１の各々の機能部が省電力モードに移行する時間帯を計算し、省電力モード移行の開始時刻において、各々の機能部に対して省電力モード移行を指示する。また、ＵＮＩ送受信機能部２２およびアクセス区間送受信機能部２３から通信開始の通知を受け取り、各機能部に対して省電力モードから通常動作モードへの復帰を指示する。
【００５４】
ＰＯＮ構成では、帯域割当制御部２１において、ユーザ端末（１１、１９）から受信したファイル転送要求に対応したアクセス区間制御フレームを生成し、端局装置（３０、６０）の帯域割当制御部２１への送信をさせる。また、端局装置（３０、６０）からのアクセス区間制御フレームを解釈し通信制御を行う。帯域割当制御部２１では、端局装置（３０、６０）に送信するアクセス区間制御フレームの挿入ならびに端局装置（３０、６０）から送信されたアクセス区間制御フレームの分離と、端局装置（３０、６０）との通信制御（タイミング調整）を行う。
【００５５】
［終端装置がデータ量計測を行う場合］
より効率的に終端装置を省電力動作へ移行させるため、帯域割当制御部２１とアクセス区間送受信機能部２３との間にアクセス区間の転送データ量を計測するデータ転送量計測部２５を備える構成も取りうる。図４は、データ転送量計測部２５も備えた終端装置の構成を示している。データ転送量計測部２５を備える構成の場合、帯域割当制御部２１は端局装置（３０，６０）から受信したファイル転送割当通知に基づき、データ転送量計測部２５に対し、帯域割当が行われたファイル転送における転送データ量を通知する。データ転送量計測部２５は、端局装置（３０，６０）との間で転送されたユーザのデータの転送量の計測を行い、帯域割当制御部２１より通知されたファイル転送の転送データ量に相当するデータ量の転送が完了した時点で、ファイル転送完了を省電力動作制御部２４に通知する。省電力動作制御部２４では、データ転送量計測部２５からのファイル転送完了通知を元に、ＵＮＩ送受信機能部２２、データ転送量計測部２５、アクセス区間送受信機能部２３及び帯域割当制御部２１の各々の機能部が省電力モードに移行する時間帯を計算し、省電力モード移行の開始時刻において、各々の機能部に対して省電力モード移行を指示する。また、ＵＮＩ送受信機能部２２およびアクセス区間送受信機能部２３から通信開始の通知を受け取り、各機能部に対して省電力モードから通常動作モードへの復帰を指示する。
【００５６】
［省電力モードの種類］
省電力モード中の終端装置（２０、５０）においては、ＵＮＩ送受信機能部２２のアクセス区間送受信機能部２３の受信側の処理を行う部品へは電力供給を継続し、その他の部品は電力供給を停止することを基本動作とする。ただし、端局装置（３０、６０）、終端装置（２０、５０）の間で同期を取り、制御信号等の通信が一定の時間間隔でのみ行われるなど、終端装置（２０、５０）において特定の時間周期のみで通信が行われることが明らかな場合、その時間周期の間は、アクセス区間送受信機能部２３および帯域割当制御部２１において受信側の処理を行う部品への電源供給を停止する形態もとりうる。
【００５７】
［帯域割当装置の構成］
図５は、実施形態の通信システムにおける、帯域割当装置４０の構成を示す。図中の細線の矢印は各機能部における通知等の制御信号の経路を、破線の矢印は端局装置を含む中継ネットワーク１５の各装置とのファイル転送要求ないしファイル転送割当通知の経路を示す。帯域割当装置４０は、複数からの帯域割当要求・通知送受信機能部４１と、帯域割当情報格納部４２と、ネットワーク資源情報格納部４３と、帯域割当算出部４４とを備える。
【００５８】
帯域割当要求・通知送受信機能部４１は、端局装置を含む中継ネットワーク１５の各装置と接続される。帯域割当要求・通知送受信機能部４１では、通信の開始において、送信元端局装置３０からファイル転送要求を受信し、帯域割当算出部４４に送信元端局装置３０から受信したファイル転送要求を転送する。また、帯域割当算出部４４において決定された帯域割当情報を含むファイル転送割当通知を、送信元端局装置３０、宛先端局装置６０を含む中継ネットワーク１５の各装置に対して送信する。
【００５９】
帯域割当情報格納部４２は、帯域割当が行われた各ファイル転送に関して、転送開始時刻、転送完了時刻、転送容量、及び転送経路の情報を保存する。ネットワーク資源情報格納部４３は、各通信装置に関して、通信装置間のリンクの容量、リンクの伝送遅延、通信装置の消費電力、及び通信装置間のリンクの消費電力を保存する。
【００６０】
帯域割当算出部４４は、帯域割当要求・通知送受信機能部４１から転送されたファイル転送要求に対し、帯域割当情報格納部４２に保存されている既存の帯域割当情報ならびにネットワーク資源情報格納部４３に保存されている各種情報に基づき、非特許文献１に記載のアルゴリズムによって帯域割当の許可もしくは棄却を判断し、帯域割当が許可された場合は転送開始時刻、転送完了時刻、転送容量、及び転送経路を決定する。決定された帯域割当の許可又は棄却、ならびに転送開始時刻、転送完了時刻、転送容量、及び転送経路の情報は、ファイル転送割当通知として帯域割当要求・通知送受信機能部４１を経由して中継ネットワーク１５の各装置に通知される。
【００６１】
［送信側の動作］
［１］ファイル転送要求からファイル転送
図６は、送信元ユーザ装置１１、送信元終端装置２０、送信元端局装置３０および帯域割当装置４０による、ファイル転送要求からファイル転送開始までの待機の手順を示す。また、図６中に実施形態のバリエーションによって追加される手順を下線で示す。なお、送信元終端装置２０と送信元端局装置３０は手順開始時において、省電力モードで動作していることとする。
【００６２】
まず、送信元ユーザ装置１１から送信元終端装置２０に対し、ファイル転送要求を送信する。
【００６３】
送信元終端装置２０では、ＵＮＩ送受信機能部２２において送信元ユーザ装置１１からのファイル転送要求の受信を行う。この時、送信元終端装置２０においては、ＵＮＩ送受信機能部２２から省電力動作制御部２４に通信開始の通知を行い、省電力動作制御部２４から送信元終端装置２０の各機能部に対して省電力モードからの復帰を指示する。省電力モードから復帰した送信元終端装置２０では、帯域割当制御部２１を経由して、アクセス区間送受信機能部２３より送信元端局装置３０に対して送信元ユーザ装置１１のファイル転送要求を転送する。また、送信元端局装置３０へファイル転送要求を転送してから、送信元端局装置３０よりファイル転送割当通知を受信するまでの間に、送信元終端装置２０の各機能部を省電力モードへ移行させる形態も取りうる。この場合は、アクセス区間送受信機能部２３より送信信号の途絶を確認し、通信完了を省電力動作制御部２４に通知することで、省電力動作制御部２４より送信元終端装置２０の各機能部に対して省電力モードへの移行を指示する。ファイル転送割当通知を契機に省電力モードから通常動作モードへ復帰する際には、送信元端局装置３０からファイル転送割当通知を受信したアクセス区間送受信機能部２３から省電力動作制御部２４に通信開始の通知を行い、省電力動作制御部２４から送信元終端装置２０の各機能部に対して省電力モードからの復帰を指示する。送信元終端装置２０においてデータ転送量を計測する構成の場合、ファイル転送要求を送信元端局装置３０へ転送する時点では、データ転送量計測部２５によるデータ転送量の計測は行わない。
【００６４】
送信元端局装置３０では、アクセス区間送受信機能部３２において送信元終端装置２０から転送された送信元ユーザ装置１１のファイル転送要求を受信する。この時、アクセス区間送受信機能部３２から省電力動作制御部３４に通信開始の通知を行い、省電力動作制御部３４から送信元端局装置３０の各機能部に対して省電力モードからの復帰を指示する。省電力モードから復帰した送信元端局装置３０では、アクセス区間送受信機能部３２に接続される帯域割当制御部３１において、送信元ユーザ装置１１からのファイル転送要求を帯域割当制御部３１に分岐する。帯域割当制御部３１では、帯域割当装置４０に対して送信元ユーザ装置１１からのファイル転送要求を転送する。また、帯域割当装置４０へファイル転送要求を転送してから、帯域割当装置４０よりファイル転送割当通知を受信するまでの間に、送信元端局装置３０の各機能部を省電力モードへ移行させる形態も取りうる。この場合は、帯域割当制御部３１より送信信号の途絶を確認し、通信完了を省電力動作制御部３４に通知することで、省電力動作制御部３４より送信元端局装置３０の各機能部に対して省電力モードへの移行を指示する。ファイル転送割当通知を契機に省電力モードから通常動作モードへ復帰する際には、帯域割当装置４０からファイル転送割当通知を受信した帯域割当制御部３１から省電力動作制御部３４に通信開始の通知を行い、省電力動作制御部３４から送信元端局装置３０の各機能部に対して省電力モードからの復帰を指示する。送信元端局装置３０においてデータ転送量を計測する構成を取る場合、ファイル転送要求を送信元終端装置２０から受信した時点では、データ転送量計測部３５によるデータ転送量の計測は行わない。
【００６５】
帯域割当装置４０では、帯域割当要求・通知送受信機能部４１において送信元端局装置３０から受信したファイル転送要求に基づき、前述の手順にて帯域割当計算を行う。帯域割当計算を行った結果は、送信元および宛先の端局装置（３０、６０）を含む中継ネットワーク１５の各装置に対して、帯域割当要求・通知送受信機能部４１よりファイル転送割当通知として転送を行う。
【００６６】
帯域割当制御部３１にて帯域割当装置４０からのファイル転送割当通知を受信した送信元端局装置３０では、帯域割当制御部３１およびアクセス区間送受信機能部３２を経由して、受信したファイル転送割当通知を送信元終端装置２０に転送する。その後、帯域割当制御部３１において、ファイル転送割当通知に記載のファイル転送開始時刻を省電力動作制御部３４に通知し、省電力動作制御部３４によって各機能部に省電力モードへの移行を指示することで、省電力モードへ移行する。省電力モードへの移行後、ファイル転送割当通知によって通知されたデータ転送開始時刻に達した時点で、省電力動作制御部３４から各機能部に通常動作モードへの復帰を指示する。この際に、所定の方法で知りえた送信元終端装置２０と送信元端局装置３０の間の伝送遅延によるタイムラグをファイル転送割当通知によって通知されたファイル転送開始時刻に加えることによって、通常動作モードへ復帰するまでの時間をさらに延長する方法も取りうる。送信元端局装置３０においてデータ転送量を計測する構成を取る場合、ファイル転送割当通知を送信元終端装置２０へ転送した時点では、データ転送量計測部３５によるデータ転送量の計測は行わない。
【００６７】
アクセス区間送受信機能部２３および帯域割当制御部２１にて送信元端局装置３０からのファイル転送割当通知を受信した送信元終端装置２０では、ＵＮＩ送受信機能部２２を経由して送信元ユーザ装置１１に対してファイル転送割当通知を転送する。その後、帯域割当制御部２１において、ファイル転送割当通知に記載のファイル転送開始時刻を省電力動作制御部２４に通知し、省電力動作制御部２４によって各機能部に省電力モードへの移行を指示することで、省電力モードへ移行する。省電力モードへの移行後、ファイル転送割当通知によって通知されたファイル転送開始時刻に達した時点で、省電力動作制御部２４から各機能部に通常動作モードへの復帰を指示する。この際に、所定の方法で知りえた送信元ユーザ装置１１と送信元端局装置３０の間の伝送遅延によるタイムラグをファイル転送割当通知によって通知されたファイル転送開始時刻に加えることによって、通常動作モードへ復帰するまでの時間をさらに延長する方法も取りうる。送信元終端装置２０においてデータ転送量を計測する構成を取る場合、ファイル転送割当通知を送信元ユーザ装置１１へ転送する時点では、データ転送量計測部２５によるデータ転送量の計測は行わない。
【００６８】
送信元終端装置２０からファイル転送割当通知を受信した送信元ユーザ装置１１では、ファイル転送割当通知に基づきファイル転送開始時刻まで省電力モードで待機し、ファイル転送開始時刻に達した時点で通常動作モードに復帰の上、ファイル転送を開始する。
【００６９】
［ＰＯＮの場合］
ＰＯＮ構成における送信元終端装置２０では、終端装置２０と端局装置３０の間においてアクセス区間制御フレームの挿入も行い、アクセス区間の通信制御も行う。送信元終端装置２０において、送信元ユーザ装置１１からのファイル転送要求を受信した際に、送信元終端装置２０の帯域割当制御部２１にて、パラメータを指定しない帯域要求メッセージを生成する。さらに、帯域割当制御部２１において送信元ユーザ装置１１のファイル転送要求と送信元終端装置２０の帯域要求メッセージを記載したアクセス区間制御フレームを合流させて、アクセス区間送受信機能部２３よりともに送信元端局装置３０へ転送する。
【００７０】
送信元端局装置３０では、アクセス区間送受信機能部３２に接続される帯域割当制御部３１において、送信元ユーザ装置１１からのファイル転送要求と送信元終端装置２０からのアクセス区間制御フレームとに分岐する。この際、ファイル転送要求は帯域割当制御部３１を経由して帯域割当装置４０に転送し、アクセス制御フレームは破棄する。送信元端局装置３０が帯域割当装置４０からファイル転送割当通知を受け取ると、帯域割当制御部３１において、ファイル転送割当通知に記載の通信容量、転送開始時刻及び転送完了時刻に基づき、送信元終端装置２０に対してアクセス区間のファイル転送に割り当てる転送時間を決定する。この時、アクセス区間において各終端装置に割り当てられるファイル転送可能な時間の周期がファイル転送割当通知によって指定されたファイル転送の転送時間（転送完了時刻−転送開始時刻）よりも短い場合、送信元端局装置３０では一つのファイル転送割当通知に対して、アクセス区間のファイル転送可能な時間の周期を複数またがって帯域割当を行う。その後、送信元端局装置３０は、転送されたファイル転送割当通知と、送信元終端装置２０に対するアクセス区間の帯域割当を記載したアクセス区間制御フレームを合流させて、アクセス区間送受信機能部３２よりともに送信元終端装置２０へ転送する。ファイル転送割当通知およびアクセス区間制御フレームを送信元終端装置２０に転送した送信元端局装置３０は、配下の全ての終端装置との通信が完了していることを帯域割当制御部３１において確認した場合、配下の終端装置の中で最も早く開始するファイル転送の転送開始時刻まで、前述の方法で各機能部を省電力モードに移行させる。この際に、送信元端局装置３０と各終端装置の間でＰＯＮ区間の帯域割当のために算出したアクセス区間の伝送遅延の情報を利用し、送信元端局装置３０と配下の各終端装置の間の伝送遅延によるタイムラグをファイル転送割当通知によって通知されたファイル転送開始時刻に加えることによって、通常動作モードへ復帰するまでの時間をさらに延長する方法も取りうる。
【００７１】
アクセス区間送受信機能部２３および帯域割当制御部２１にて送信元端局装置３０からのファイル転送割当通知およびアクセス区間制御フレームを受信した送信元終端装置２０では、ＵＮＩ送受信機能部２２を経由して送信元ユーザ装置１１に対してファイル転送割当通知を転送する。その後、帯域割当制御部２１において確認したアクセス区間制御フレームに記載のファイル転送開始時刻を基に、ファイル転送開始時刻まで前述の方法で各機能部を省電力モードへ移行させる。この際に、所定の方法で知りえたユーザ装置と送信元終端装置２０の間の伝送遅延によるタイムラグをアクセス区間制御フレームによって通知されたファイル転送開始時刻に加えることによって、通常動作モードへ復帰するまでの時間をさらに延長する方法も取りうる。
【００７２】
［２］ファイル転送後の省電力モード移行
図７は、送信元ユーザ装置１１、送信元終端装置２０、及び送信元端局装置３０による、ファイル転送開始から省電力モードへの移行の手順を示す。また、図７中に実施形態のバリエーションによって追加される手順を下線で示している。
【００７３】
送信元ユーザ装置１１では、転送開始時刻になると省電力モードから通常動作モードへ復帰して、ファイル転送を開始する。また、ファイル転送が完了した時点で、省電力モードに移行する。
【００７４】
送信元終端装置２０では、ファイル転送の開始時刻において省電力モードから復帰後、ＵＮＩ送受信制御部にて受信した送信元ユーザ装置１１のデータを、帯域割当制御部２１およびアクセス区間送受信機能部２３を経由して送信元端局装置３０へ転送した後、アクセス区間送受信機能部２３においてデータ転送の途絶を検出した時点で、省電力動作制御部２４に通信終了の通知を行い、前述の方法によって各機能部を省電力モードに移行させる。送信元終端装置２０においてデータ転送量を計測する構成の場合、ファイル転送開始時刻より、データ転送量計測部においてアクセス区間送受信機能部２３から送信したファイル転送のデータ転送量を計測する。当該ファイル転送のデータ転送量が、ファイル転送割当通知（ＰＯＮ構成の場合はアクセス区間制御フレーム）に記載の、（転送容量×（ファイル転送終了時刻−ファイル転送開始時刻））に達したことを検出した時点において、ファイル転送完了を省電力動作制御部２４に通知し、前述の方法で各機能部を省電力モードに移行させる。
【００７５】
送信元端局装置３０では、ファイル転送の開始時刻において省電力モードから復帰後、ファイル転送を行った後、アクセス区間送受信機能部３２においてデータ転送の途絶を検出した時点で、省電力動作制御部３４に通信終了の通知を行い、前述の方法によって各機能部を省電力モードに移行させる。送信元端局装置３０においてデータ転送量を計測する構成の場合、ファイル転送開始時刻より、データ転送量計測部においてアクセス区間送受信機能部３２で受信したファイル転送のデータ転送量を計測する。当該ファイル転送のデータ転送量が、ファイル転送割当通知に記載の、（転送容量×（ファイル転送終了時刻−ファイル転送開始時刻））に達したことを検出した時点において、ファイル転送完了を省電力動作制御部３４に通知し、前述の方法で各機能部を省電力モードに移行させる。
【００７６】
［ＰＯＮの場合］
ＰＯＮ構成における送信元終端装置２０では、前述と同様の動作となる。また、ＰＯＮ構成における送信元端局装置３０では、上記の動作において、アクセス区間送受信制御部３２におけるデータ転送の途絶もしくはデータ転送量計測部３５におけるデータ送信完了の通知を受けた際、配下の全ての終端装置２０との通信が完了していることを帯域割当制御部３１において確認した場合、前述の方法で各機能部を省電力モードに移行させる。
【００７７】
［３］帯域割当不可の場合（ファイル転送要求が棄却され省電力モードとなる）
図８は、送信元ユーザ装置１１、送信元終端装置２０、送信元端局装置３０および帯域割当装置４０による、帯域割当不可の場合の省電力モードへの移行の手順を示す。また、図８中に実施形態のバリエーションによって追加される手順を下線で示す。なお、送信元終端装置２０と送信元端局装置３０は手順開始時において、省電力モードで動作していることとする。
【００７８】
まず、送信元ユーザ装置１１から送信元終端装置２０に対し、ファイル転送要求を送信する。
【００７９】
送信元終端装置２０では、ＵＮＩ送受信機能部２２において送信元ユーザ装置１１からのファイル転送要求の受信を行う。この時、送信元終端装置２０においては、ＵＮＩ送受信機能部２２から省電力動作制御部２４に通信開始の通知を行い、省電力動作制御部２４から送信元終端装置２０の各機能部に対して省電力モードからの復帰を指示する。省電力モードから復帰した送信元終端装置２０では、帯域割当制御部３１を経由して、アクセス区間送受信機能部２３より送信元端局装置３０に対して送信元ユーザ装置１１のファイル転送要求を転送する。また、送信元端局装置３０へファイル転送要求を転送してから、送信元端局装置３０よりファイル転送棄却通知を受信するまでの間に、送信元終端装置２０の各機能部を省電力モードへ移行させる形態も取りうる。この場合は、アクセス区間送受信機能部２３より送信信号の途絶を確認し、通信完了を省電力動作制御部２４に通知することで、省電力動作制御部２４より送信元終端装置２０の各機能部に対して省電力モードへの移行を指示する。ファイル転送棄却通知を契機に省電力モードから通常動作モードへ復帰する際には、送信元端局装置３０からファイル転送棄却通知を受信したアクセス区間送受信機能部２３から省電力動作制御部２４に通信開始の通知を行い、省電力動作制御部２４から送信元終端装置２０の各機能部に対して省電力モードからの復帰を指示する。送信元終端装置２０においてデータ転送量を計測する構成の場合、ファイル転送要求を送信元端局装置３０へ転送する時点では、データ転送量計測部２５によるデータ転送量の計測は行わない。
【００８０】
送信元端局装置３０では、アクセス区間送受信機能部３２において送信元終端装置２０から転送された送信元ユーザ装置１１のファイル転送要求を受信する。この時、アクセス区間送受信機能部３２から省電力動作制御部３４に通信開始の通知を行い、省電力動作制御部３４から送信元端局装置３０の各機能部に対して省電力モードからの復帰を指示する。省電力モードから復帰した送信元端局装置３０では、アクセス区間送受信機能部３２に接続される帯域割当制御部３１において、送信元ユーザ装置１１からのファイル転送要求を分岐する。帯域割当制御部３１では、帯域割当装置４０に対して送信元ユーザ装置１１からのファイル転送要求を転送する。また、帯域割当装置４０へファイル転送要求を転送してから、帯域割当装置４０よりファイル転送棄却通知を受信するまでの間に、送信元端局装置３０の各機能部を省電力モードへ移行させる形態も取りうる。この場合は、帯域割当制御部３１より送信信号の途絶を確認し、通信完了を省電力動作制御部３４に通知することで、省電力動作制御部３４より送信元端局装置３０の各機能部に対して省電力モードへの移行を指示する。ファイル転送割当通知を契機に省電力モードから通常動作モードへ復帰する際には、帯域割当装置４０からファイル転送棄却通知を受信した帯域割当制御部３１から省電力動作制御部３４に通信開始の通知を行い、省電力動作制御部３４から送信元端局装置３０の各機能部に対して省電力モードからの復帰を指示する。送信元端局装置３０においてデータ転送量を計測する構成の場合、帯域予約要求を送信元終端装置２０から受信した時点では、データ転送量計測部３５によるデータ転送量の計測は行わない。
【００８１】
帯域割当装置４０では、帯域割当要求・通知送受信機能部４１において送信元端局装置３０から受信したファイル転送要求に基づき、前述の手順にて帯域割当計算を行う。帯域割当計算を行った結果としてファイル転送要求を棄却する場合、送信元端局装置３０に対して、帯域割当要求・通知送受信機能部４１よりファイル転送棄却通知の転送を行う。
【００８２】
帯域割当制御部３１にて帯域割当装置４０からのファイル転送棄却通知を受信した送信元端局装置３０では、帯域割当制御部３１およびアクセス区間送受信機能部３２を経由して、受信したファイル転送棄却可通知を送信元終端装置２０に転送する。その後、帯域割当制御部３１において、ファイル転送要求が棄却されたことを省電力動作制御部３４に通知し、省電力動作制御部３４によって各機能部に省電力モードへの移行を指示することで、省電力モードへ移行する。送信元端局装置３０においてデータ転送量を計測する構成の場合、ファイル転送棄却通知を送信元終端装置２０へ転送した時点では、データ転送量計測部３５によるデータ転送量の計測は行わない。
【００８３】
アクセス区間送受信機能部２３および帯域割当制御部２１にて送信元端局装置３０からのファイル転送割当通知を受信した送信元終端装置２０では、ＵＮＩ送受信機能部２２を経由して送信元ユーザ装置１１に対してファイル転送棄却通知を転送する。その後、帯域割当制御部２１において、ファイル転送要求が棄却されたことを省電力動作制御部２４に通知し、省電力動作制御部２４によって各機能部に省電力モードへの移行を指示することで、省電力モードへ移行する。送信元終端装置２０においてデータ転送量を計測する構成の場合、ファイル転送棄却通知を送信元ユーザ装置１１へ転送する時点では、データ転送量計測部２５によるデータ転送量の計測は行わない。
【００８４】
送信元終端装置２０からファイル転送割当通知を受信した送信元ユーザ装置１１では、ファイル転送棄却通知に基づき省電力モードに移行する。
【００８５】
［ＰＯＮの場合］
ＰＯＮ構成における終端装置２０では、終端装置２０と端局装置３０の間においてアクセス区間制御フレームの挿入も行い、アクセス区間の通信制御も行う。送信元終端装置２０において、送信元ユーザ装置１１からのファイル転送要求を受信した際に、送信元終端装置２０の帯域割当制御部２１にて、パラメータを指定しない帯域要求メッセージを生成する。さらに、帯域割当制御部２１において送信元ユーザ装置１１のファイル転送要求と送信元終端装置２０の帯域要求メッセージを記載したアクセス区間制御フレームを合流させて、アクセス区間送受信機能部２３よりともに送信元端局装置３０へ転送する。
【００８６】
送信元端局装置３０では、アクセス区間送受信機能部３３に接続される帯域割当制御部３１において、送信元ユーザ装置１１からのファイル転送要求と送信元終端装置２０からのアクセス区間制御フレームとを分岐する。この際、ファイル転送要求は帯域割当制御部３１を経由して帯域割当装置４０に転送し、アクセス制御フレームは破棄する。
【００８７】
対向の全ての終端装置２０との通信を踏まえて可能であれば、省電力モードで待機する。送信元端局装置３０が帯域割当装置４０からファイル転送棄却通知を受け取ると、帯域割当制御部３１において、送信元終端装置２０に対してアクセス区間のファイル転送に割り当てる転送時間を０（ファイル転送開始時刻をＮＵＬＬ値）に決定する。その後、帯域割当装置４０から転送されたファイル転送棄却通知と、送信元終端装置２０に対するアクセス区間の帯域割当を記載したアクセス区間制御フレームを合流させて、アクセス区間送受信機能部３２よりともに送信元終端装置２０へ転送する。ファイル転送棄却通知およびアクセス区間制御フレームを送信元終端装置２０に転送した送信元端局装置３０は、配下の全ての終端装置２０との通信が完了していることを帯域割当制御部３１において確認した場合、配下の終端装置の中で最も早く開始するファイル転送の転送開始時刻まで、前述の方法で各機能部を省電力モードに移行させる。
【００８８】
アクセス区間送受信機能部２３および帯域割当制御部２１にて送信元端局装置３０からのファイル転送棄却通知およびアクセス区間制御フレームを受信した送信元終端装置２０では、ＵＮＩ送受信機能部２２を経由して送信元ユーザ装置１１に対してファイル転送棄却通知を転送する。その後、帯域割当制御部２１においてアクセス区間制御フレームに記載のファイル転送時間（この場合はＮＵＬＬ値）を確認し、ファイル転送要求が棄却されたことを省電力動作制御部２４に通知する。その後、省電力動作制御部２４からの各機能部への通知によって各機能部を省電力モードへ移行させる。
【００８９】
［受信側の動作］
［１］ファイル転送要求からファイル転送
図９は、宛先ユーザ装置１９、宛先終端装置５０、宛先端局装置６０および帯域割当装置４０による、ファイル転送要求から転送開始までの待機の手順を示す。なお、宛先ユーザ装置１９、宛先終端装置５０、及び宛先端局装置６０は手順開始時において、省電力モードで動作していることとする。
【００９０】
帯域割当制御部３１にて帯域割当装置４０からのファイル転送割当通知を受信した宛先端局装置６０では、ファイル転送割当通知を受信した帯域割当制御部３１から省電力動作制御部３４に通信開始の通知を行い、省電力動作制御部３４から宛先端局装置６０の各機能部に対して省電力モードからの復帰を指示し、省電力モードから復帰する。その後、帯域割当制御部３１において、ファイル転送割当通知に記載のファイル転送開始時刻を省電力動作制御部３４に通知し、省電力動作制御部３４によって各機能部に省電力モードへの移行を指示することで、省電力モードへ移行する。省電力モードへの移行後、ファイル転送割当通知によって通知されたファイル転送開始時刻に達した時点で、省電力動作制御部３４から各機能部に通常動作モードへの復帰を指示する。通常動作モードへの復帰後、帯域割当制御部３１およびアクセス区間送受信機能部３２を経由して、受信したファイル転送割当通知を宛先終端装置５０に転送する。この際に、所定の方法で知りえた宛先端局装置６０と宛先終端装置５０の間の伝送遅延によるタイムラグをファイル転送割当通知によって通知されたファイル転送開始時刻から減ずることによって、宛先終端装置５０が省電力モードから通常動作モードに復帰した時刻と、宛先終端装置５０に中継ネットワーク１５から転送されたデータが到着する時刻を整合させる形態も取りうる。宛先端局装置６０においてデータ転送量を計測する構成の場合、ファイル転送割当通知を帯域割当装置４０から受信および宛先終端装置５０へファイル転送割当通知を転送した時点では、データ転送量計測部３５によるデータ転送量の計測は行わない。宛先終端装置５０へファイル転送帯域割当通知を転送した後、中継ネットワーク１５から転送されたファイルを、アクセス区間送受信機能部３２を経由して宛先終端装置５０へ転送を行う。
【００９１】
アクセス区間送受信機能部および帯域割当制御部にて宛先端局装置６０からのファイル転送割当通知を受信した宛先終端装置５０では、ファイル転送割当通知を受信したアクセス区間送受信機能部２３から省電力動作制御部２４に通信開始の通知を行い、省電力動作制御部２４から宛先終端装置５０の各機能部に対して省電力モードからの復帰を指示し、省電力モードから復帰する。その後、ＵＮＩ送受信機能部２２を経由して宛先ユーザ装置１９に対してファイル転送割当通知を転送し、アクセス区間送受信機能部２３にて受信したデータに対し、ＵＮＩ送受信機能部２２を経由して宛先ユーザ装置１９にファイル転送を行う。
【００９２】
宛先終端装置５０からファイル転送割当通知を受信した宛先ユーザ装置１９では、省電力モードから復帰し、その後にデータ受信を開始する。
【００９３】
［ＰＯＮの場合］
ＰＯＮ構成における宛先終端装置５０では、前述と同様の動作となる。また、ＰＯＮ構成における宛先端局装置６０では、ファイル転送割当通知を宛先終端装置５０に転送した後、配下の全ての終端装置５０との通信が完了していることを帯域割当制御部３４において確認した場合、配下の終端装置５０の中で最も早く開始するファイル転送の転送開始時刻まで、前述の方法で各機能部を省電力モードに移行させる。この際に、宛先端局装置６０と各終端装置５０の間でＰＯＮ区間の帯域割当のために算出したアクセス区間の伝送遅延の情報を利用し、宛先端局装置６０と配下の各終端装置５０の間の伝送遅延によるタイムラグをファイル転送割当通知によって通知されたファイル転送開始時刻から減ずることによって、最も早くファイル転送を開始する配下の終端装置５０が省電力モードから通常動作モードに復帰した時刻と、当該終端装置５０に中継ネットワーク１５から転送されたデータが到着する時刻を整合させる形態も取りうる。
【００９４】
［２］ファイル転送後の省電力モード移行
図１０は、宛先ユーザ装置１９、宛先終端装置５０、及び宛先端局装置６０による、ファイル転送開始から省電力モードへの移行の手順を示す。また、図１０中に実施形態のバリエーションによって追加される手順を下線で示す。
【００９５】
宛先端局装置６０では、ファイル転送の開始時刻において省電力モードから復帰後、中継区間送受信機能部３３にて受信した中継ネットワーク１５からのデータを、帯域割当制御部３１およびアクセス区間送受信機能部３２を経由して宛先終端装置５０へ転送した後、アクセス区間送受信制御部においてデータ転送の途絶を検出した時点で、省電力動作制御部３４に通信終了の通知を行い、前述の方法によって各機能部を省電力モードに移行させる。宛先端局装置６０においてデータ転送量を計測する構成の場合、ファイル転送開始時刻より、データ転送量計測部３５においてアクセス区間送受信機能部３２から送信したファイル転送のデータ転送量を計測する。当該ファイル転送のデータ転送量が、ファイル転送割当通知に記載の、（転送容量×（ファイル転送終了時刻−ファイル転送開始時刻））に達したことを検出した時点において、ファイル転送完了を省電力動作制御部３４に通知し、前述の方法で各機能部を省電力モードに移行させる。
【００９６】
宛先終端装置５０では、ファイル転送割当通知の受信によって省電力モードから復帰した後、アクセス区間送受信機能部２３にて受信した宛先端局装置６０からのデータを、帯域割当制御部２１およびアクセス区間送受信機能部２３を経由して宛先ユーザ装置１９へ転送した後、アクセス区間送受信機能部２３においてデータ転送の途絶を検出した時点で、省電力動作制御部２４に通信終了の通知を行い、前述の方法によって各機能部を省電力モードに移行させる。宛先終端装置５０においてデータ転送量を計測する構成を取る場合、ファイル転送開始時刻より、データ転送量計測部２５においてアクセス区間送受信機能部２３が受信したファイル転送のデータ転送量を計測する。当該ファイル転送のデータ転送量が、ファイル転送割当通知に記載の、（転送容量×（ファイル転送終了時刻−ファイル転送開始時刻））に達したことを検出した時点において、ファイル転送完了を省電力動作制御部２４に通知し、前述の方法で各機能部を省電力モードに移行させる。
【００９７】
宛先ユーザ装置１９では、ファイル転送割当通知の受信を契機に省電力モードから通常動作モードへ復帰して、ファイル転送を開始する。また、データ転送が完了した時点で省電力モードに移行する。
【００９８】
［ＰＯＮの場合］
ＰＯＮ構成における宛先終端装置５０では、前述と同様の動作となる。また、ＰＯＮ構成における宛先端局装置６０では、上記の動作において、アクセス区間送受信制御部３２におけるデータ転送の途絶もしくはデータ転送量計測部３５におけるデータ送信完了の通知を受けた際、配下の全ての終端装置５０との通信が完了していることを帯域割当制御部３１において確認した場合、前述の方法で各機能部を省電力モードに移行させる。
【００９９】
［帯域割当の更新］
図６、図７、図９および図１０で示した各手順の実行中において、別のユーザ装置１１からのファイル転送要求があった場合、当該ファイル転送要求を受信した帯域割当装置４０において、既存のファイル転送要求も含めて再度帯域割当計算を実施する。この際、既存のファイル転送に対して、（転送容量×（ファイル転送の転送開始時刻−帯域割当計算を再実行する時刻））によって転送が完了したデータ量を求め、転送が完了していないデータ量を用いて帯域割当計算の再実施を行う。帯域割当計算の再実施の結果、既存のファイル転送に対して帯域割当情報に変更が生じた場合、帯域割当計算を再実施した時刻を起点とし、転送が完了していないデータに対して新たに帯域割当を行ったものと見なして再度ファイル転送の手順を実施する。
【０１００】
具体的には、各ファイル転送を実行中の送信元端局装置３０ならびに宛先端局装置６０を含む中継ネットワーク１５の各装置に対して、新たに決定された帯域予約情報をファイル転送割当通知によって通知する。更新された帯域予約情報によるファイル転送割当通知の伝達手段ならびに更新された帯域割当情報によるファイル転送の再開の手順に関しては、図６において記載した帯域割当装置４０からファイル転送割当通知を送信する手順より以降の各手順を再度実行するものとする。なお、転送が完了していない帯域割当済のユーザ装置へのファイル転送に関しては帯域割当計算の再実施によって帯域割当が棄却されることはないため、帯域割当情報に変更が生じた場合において、既存のファイル転送に関しては必ず上記の帯域割当の更新手順を実行する。送信元端局装置３０ならびに宛先端局装置６０においてデータ転送量を計測する構成を取る場合、データ転送量計測部３５によって計測したデータ転送量を、帯域割当制御部３１を経由して帯域割当装置４０に随時通知することで、帯域割当計算の再実施に際して計算の精度を向上させる形態も取りうる。
【０１０１】
［付記］
以下は、本実施形態のアクセスシステムについてまとめたものである。
本アクセスシステムの端局装置ならびに終端装置においては、ユーザ装置から送信される通信帯域の割当要求に応じて、中継ネットワークの帯域割当装置で計算された帯域割当を反映し、アクセス区間の帯域割当を実施する。また、アクセス区間の帯域割当によって、端局装置および終端装置がファイル転送を行う時間帯を明らかにできることから、端局装置および終端装置において、ファイル転送を行わない時間帯に各機能ブロックへの電力供給を停止する省電力動作制御部を備える。
【０１０２】
省電力動作制御部によって各機能ブロックへの電力供給を停止する契機を検出するために、端局装置ならびに終端装置においては、転送完了確認のため、端局装置と終端装置の各々で転送データ量をモニタし、転送完了の確認を行うデータ転送量計測部を備える。それぞれの装置のデータ転送量計測部において帯域が割当られたデータの転送が完了したことを確認した後、データ転送量計測部より省電力動作制御部に対してファイル転送の完了が通知される。省電力動作制御部においては、ファイル転送完了の通知を受けたことを契機に、自動的に省電力モードに動作を移行し、各機能ブロックへの電力供給を停止する制御信号を送信する。各機能ブロックでは、電力供給を停止する制御信号を省電力動作制御部から受信した後、あらかじめ設定された部品に対して電力供給の停止を行う。各機能ブロックにおいて電力供給を停止する部品は、省電力動作制御部に設定された設定情報によって決定する。
【０１０３】
［発明の効果］  
本発明のアクセスシステムは、中継区間の帯域割当および省電力化に連動して、アクセス区間においても効率的な省電力化を行うことが可能となる。
【符号の説明】
【０１０４】
１１：送信元ユーザ装置
１２：送信元アクセス区間
１５：中継ネットワーク
１８：宛先アクセス区間
１９：宛先ユーザ装置
２０：送信元終端装置
２１：帯域割当制御部
２２：ＵＮＩ送受信機能部
２３：アクセス区間送受信機能部
２４：省電力動作制御部
２５：データ転送量計測部
３０：送信元端局装置
３１：帯域割当制御部
３２：アクセス区間送受信機能部
３３：中継区間送受信機能部
３４：省電力動作制御部
３５：データ転送量計測部
４０：帯域割当装置
４１：帯域割当要求・通知送受信機能部
４２：帯域割当情報格納部
４３：ネットワーク資源情報格納部
４４：帯域割当算出部
５０：宛先終端装置
６０：宛先端局装置
７０：線路分岐部
【図１】
2019022169.tif 000003
【図２】
2019022169.tif 000004
【図３】
2019022169.tif 000005
【図４】
2019022169.tif 000006
【図５】
2019022169.tif 000007
【図６】
2019022169.tif 000008
【図７】
2019022169.tif 000009
【図８】
2019022169.tif 000010
【図９】
2019022169.tif 000011
【図１０】
2019022169.tif 000012